(57)【要約】【課題】直管形ＬＥＤ灯の構造上の特徴に注視し、直管形ＬＥＤ灯の利用範囲を拡げることを課題とする。【解決手段】  直管形ＬＥＤ灯の一端に着脱可能な口金・受金を設け、該口金・受金を、二つの方向、例えば或る方向および該方向と直角な関係にある方向、に回動させ得る手段を採用した。また、直管形ＬＥＤ灯の直管軸の回りに回転させる手段を設けた。さらに、本願発明は、上記手段に加え、人の出入によって作動する人感センサーおよび指向性の強い人感センサーを設けて、利用範囲を一層拡大した。【選択図】    図１
2017126401.tif 000002
【特許請求の範囲】
【請求項１】
直管形ＬＥＤ灯を使用した照明器具であって、直管形ＬＥＤ灯は一端のみで着脱可能に口金に取り付けられ、遠隔操作により、直管形ＬＥＤ灯は二つの方向に回動する機構を有すること、を特徴とする直管形ＬＥＤ灯照明器具。
【請求項２】
請求項１記載の発明において、遠隔操作により、直管形ＬＥＤ灯は直管軸の回りに回転する機構を有すること、を特徴とする直管形ＬＥＤ灯照明器具。
【請求項３】
請求項１および請求項２記載の発明において、人感センサーを設けたこと、を特徴とする直管形ＬＥＤ灯照明器具。
【発明の詳細な説明】
【技術分野】
【０００１】
本願発明は、一端で着脱可能に取り付けられた直管形ＬＥＤ灯を、遠隔操作により、
二つの方向に回動し、さらに直管形ＬＥＤ灯自身が直管軸まわりに回転する照明器具に関する。
【背景技術】
【０００２】
通常、直管形ＬＥＤ灯は両端で把持・取り付けられ、一旦取り付けられた直管形ＬＥＤ灯は取り付けられた状態のままで実用に供されている。
【０００３】
直管形ＬＥＤ灯の外観形状は、直管形蛍光灯に置き換わり得る形状をしているが、直管形ＬＥＤ灯の口金は、給電方式の相違から、一端は受送電口となり、他端は単にソケットで把持・取り付けられるだけの機能を有すれば足りる構造の口金となっている。
【０００４】
また、直管形蛍光灯においては、管の周辺に均等に光が放射されるのに対し、直管形ＬＥＤ灯は、構造上の制約から、ＬＥＤの配置どおりの光が放射され、放射される光に方向性が存在する。
【０００５】
現今の直管形ＬＥＤ灯の利用方法を見るに、この直管形ＬＥＤ灯が放射する光の方向性を積極的に利用した照明器具が見当たらない。
【先行技術文献】
【特許文献】
【０００６】
【特許文献１】特許情報プラットフォームのテキスト検索（公開特許公報）で、以下の条件で検索したが、該当すると思料できるものはありません。                                  「要約と請求の範囲」  「ＬＥＤ」                                    ＡＮＤ  「要約と請求の範囲」  「直管」                                      ＡＮＤ  「要約と請求の範囲」  「移動」「可動」「回転」                    発見された件数は、９５件
【発明の概要】
【発明が解決しようとする課題】
【０００７】
本願発明は、直管形ＬＥＤ灯は一端のみで着脱可能に口金に取り付け得る構造上の特徴に着目し、二つの方向、例えば或る方向（例えば上下方向）およびその方向と直角な関係にある方向（例えば水平方向）、に回動させることを課題とする。
【０００８】
また、本願発明は、直管形ＬＥＤ灯は放射する光に方向性が存在することに着目し、直管形ＬＥＤ灯の直管軸の回りに回転させることを課題とする。
【０００９】
さらに、本願発明は、上記課題に加え、人感センサーを設けて利用範囲を広げることを課題とする。
【課題を解決するための手段】
【００１０】
本願発明は、直管形ＬＥＤ灯の一端に着脱可能となる口金を設け、該口金を二つの方向に回動させるために、モータおよび回転減速させる手段を２組採用した。
【００１１】
また、本願発明は、直管形ＬＥＤ灯の直管軸の回りに回転させるために、モータおよび回転減速させる手段を設けた。
【００１２】
さらに、本願発明は、上記手段に加え、人の出入によって作動する人感センサーを設けて、利用範囲を広げた。
【発明の効果】
【００１３】
直管形ＬＥＤ灯の放射する光の方向（以下適宜「ＬＥＤ灯光の方向」という。）をそのまま利用して、被照光面に直接照光する直接照明として利用できる。
【００１４】
ＬＥＤ灯光の方向を建物・部屋の壁面に向けて、間接照明として利用できる。
この場合には、特に、直管形ＬＥＤ灯を直管軸の回りに回転させる機構が有用となる。
【００１５】
また、ＬＥＤ灯光の方向を建物・部屋の天井面に向けて、間接照明として利用できる。
【００１６】
直管形ＬＥＤ灯照明器具を建物・部屋の壁面のコーナーに設置することにより、二つの壁面を利用した直接、間接照明として利用できる。
この効果は、雰囲気を重視する喫茶店・飲食店においては、特に有用となる。
【００１７】
壁面に陳列された商品（例．衣料品）には、種々の角度からの照明が利用でき、利用範囲が広がる。
【００１８】
人感センサーおよび特に指向性の強い人感センサーを利用して、人の出入・方向により、様々な効果を上乗せできる。
【００１９】
死角を排除した設置方法を採用することにより、また、本願発明の直管形ＬＥＤ灯の回動・回転を利用することにより、セキュリティ性の高い通路照明として利用できる。
【００２０】
さらに、ＬＥＤ光の多色性・光度調節可能性の諸機能を使用することにより、上記効果に様々な効果を上乗せできる。
【図面の簡単な説明】
【００２１】
【図１】本願発明が壁面に設置された状態を示す斜視図である。
【図２】本願発明が或る方向に回動する機構を示す側面図である（蛇腹および下部カバーは外してある。）。
【図３】本願発明が二つの方向に回動する機構を示す平面図である（蛇腹は外してある。）。
【図４】本願発明の直管形ＬＥＤ灯を直管軸の回りに回転させる機構を示す正面図である（例１．アウターローターモータ方式。スリーブ１５（２点鎖線で示す。）を外した状態を描いてある。）。
【図５】本願発明の直管形ＬＥＤ灯を直管軸の回りに回転させる機構を示す正面図である（例２．モータおよびギァ方式。内スリーブ１６・外スリーブ１７（共に２点鎖線で示す。）を外した状態を描いてある。）。また、内・外スリーブの構造を示す断面図も添描してある。
【発明を実施するための形態】
【００２２】
本願発明は垂直な面のみならず、水平な面にも取り付け可能であるが、以降、特記の他、本願発明が垂直な面（壁面）に取り付けられた場合について、説明する。
本願発明は大別して、直管形ＬＥＤ灯１１の固定部分、回動機構および回転機構（以下両者を合せて「回動・回転機構」という。）からなっている。
以降においては、回動機構の二つの方向としては、上下方向および水平方向を取り上げて説明する。
回動・回転機構５０は、外観に関わる部品（符号の番号：５０番台）、上下に回動する機構（符号の番号：６０番台）、水平に回動する機構（符号の番号：７０番台）、軸回転する機構（符号の番号：８０番台）から構成されている。
【００２３】
本願発明の直管形ＬＥＤ灯１１は、図４に示すように、直管形ＬＥＤ灯の一端の口金１３は受金１４に嵌合されている。
受金にはスリーブ１５が取付固定され、さらにスリーブはアウターローターモータ８１の外周に固定取付され、アウターローターモータはシャフト６５に取り付けられている。
また、スリーブは、直管形ＬＥＤ灯の揺れ・脱落を防止している。
図５に示す通常のモータ８３とギァ８４を使用した回動機構も同様である（後述する。）。
直管形ＬＥＤ灯の口金・受金には、日本照明工業会規格の GX16t-5 が使用される。
直管形ＬＥＤ灯の固定端でない他端は、図１に示すように、口金保護キャップ１２によって破損しないように保護されている。
【００２４】
図１に本願発明の使用状況を示す。
回動・回転機構５０の外観に関わる部分は、上下・水平回動機構および回転機構を取付固定する台板５１、該機構を壁面に取付固定する取付板５２、該機構を埃・ごみ等から保護する蛇腹５３、台板下部に取り付けられた部品（例えば基板）を保護し美観を良くするカバー５４、および人感センサー５５から構成されている。
使用状況によっては、蛇腹またはおよびカバーを省略することもできる。
なお、図１に示す蛇腹は上下の回動を考慮したものであるが、水平の回動に関しては、蛇腹構造を垂直方向に設けることにより、水平の回動に対処できる（図面省略）。
また、回動に対処できる構造のものなら他の構造のものを使用しても良い。
直管形ＬＥＤ灯１１の電源回路基板、回動・回転機構に関する電子基板および人感センサー関係の電子基板等は台板の下部に取り付けられる（図面省略）。
【００２５】
上下に回動する機構の一例を図２および図３に示す。
モータ（上下回動用）６１によって与えられた回転力は、ギァ（上下回動用）６２によって、シャフト６５を上下に回動する。
【００２６】
水平に回動する機構の一例を図２および図３に示す。
モータ（水平回動用）７１によって与えられた回転力は、ギァ（水平回動用）７２により、ターンテーブル７３を回転軸７４回りに回転させる。
これにより、上下回動機構を水平に回動することができる。
なお、滑らかな回転を得るためにベアリング７５を使用した例を図示しているが、ベアリングに替えて潤滑性シート、例えばテフロン（登録商標）シート、を使用しても良い。
【００２７】
軸回転する機構の二例を図４および図５に示す。
図４は、アウターローターモータ８１を使用した例であり、アウターローターモータはシャフト６５に固定されている。
アウターローターモータの外周には、スリーブ１５が取付固定され、また該スリーブは直管形ＬＥＤ灯１１の受金１４に固定されている。
よって、アウターローターモータのアウターローターが回転すれば、即、直管形ＬＥＤ灯は軸回りに回転することになる。
なお、この方式の場合には回転を減速する機構を内蔵していないため、ステップモータの使用が望まれる（電子回路の詳細省略）。
図５は、モータ（軸回転用）８３およびギァ（軸回転用）８４を採用した例を示す。
モータ（軸回転用）はシャフトに固定されている。
モータ（軸回転用）から与えられた回転力は、ギァ（軸回転用）を介して、直管形ＬＥＤ灯の受金１４に伝えられる。
この場合、揺れ・脱落防止用に取り付けられるスリーブは、シャフトに固定された外スリーブ１７と、受金に固定された内スリーブ１６とから構成されるから、両スリーブを滑らかに擦動させることが必要であり、このため本願発明では潤滑性シート１８を介在させている。
【００２８】
人感センサー５５には、単に人の出入を検知だけのセンサーのみならず、指向性の強いセンサーも使用される。指向性を利用することにより、特定方向の場所の遠近の差異を利用でき、陳列品に一層の注意を引かせることが可能となる。
【００２９】
また、回動機構５０には、回動限界を設定できる接触あるいは非接触センサーが組み込まれ（詳細省略）、回動の指示は、遠隔操作により行われ、それには赤外線等を利用したリモコン機器が使用される（詳細省略）。
【産業上の利用可能性】
【００３０】
本願発明は、日常生活に必要不可欠な照明に関するものであって、直管形ＬＥＤ灯の構造上の特徴を引き出し、またＬＥＤ光源の有する諸機能を手軽に利用可能にし、省エネルギーに貢献できるとともに、保安も考慮された製品であるという点で、産業上の利用可能性が高いものである。
【符号の説明】
【００３１】
１１    直管形ＬＥＤ灯
１２    口金保護キャップ
１３    口金(GX16t-5)
１４    受金(GX16t-5)
１５    スリーブ
１６    内スリーブ
１７    外スリーブ
１８    潤滑性シート
５０    回動・回動機構
５１    台板
５２    取付板
５３    蛇腹
５４    カバー
５５    人感センサー
６１    モータ（上下回動用）
６２    ギァ  （上下回動用）
６５    シャフト
７１    モータ（水平回動用）
７２    ギァ  （水平回動用）
７３    ターンテーブル
７４    回転軸
７５    ベアリング
８１    アウターローターモータ
８３    モータ（軸回転用）
８４    ギァ  （軸回転用）
【図１】
2017126401.tif 000003
【図２】
2017126401.tif 000004
【図３】
2017126401.tif 000005
【図４】
2017126401.tif 000006
【図５】
2017126401.tif 000007
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
直管形ＬＥＤ灯を使用した照明器具であって、遠隔操作により交差する二つの方向に回動する機構に、直管形ＬＥＤ灯は一端のみで着脱可能に口金で取り付けられていること、を特徴とする直管形ＬＥＤ灯照明器具。
【請求項２】
請求項１記載の発明において、遠隔操作により交差する二つの方向に回動する機構に、遠隔操作により直管形ＬＥＤ灯は直管軸の回りに回転する機構を付加したこと、を特徴とする直管形ＬＥＤ灯照明器具。
【請求項３】
請求項１および請求項２記載の発明において、人感センサーを設けたこと、を特徴とする直管形ＬＥＤ灯照明器具。